(57)【特許請求の範囲】
【請求項１】
−ポータブル端末の識別番号を含むレジスタ（１６）と、
−ネットワーク管理ステーションより送信された短情報メッセージであって、１つの受信されたメッセージが不正に使用される端末の識別番号一覧表を含む短情報メッセージを一時的に格納するためのバッファメモリ（１０）と、
−前記端末の識別番号を前記一覧表の識別番号のそれぞれと比較するためのコンパレータ（１４）と、
−前記コンパレータの比較の一致に応じて、ポータブル端末による通信内容の送信を無効化する無効化回路（２２、２４）と
を含むことを特徴とする、移動無線電話型ネットワークで使用するポータブル端末内の自動無効化装置。
【請求項２】
前記無効化回路が、２つの入力を有するＡＮＤゲート（２４）を備え、その第一入力が端末による通信内容の送信の実行線（２６）であり、前記端末の識別番号が前記識別番号一覧表に含まれていることにより前記コンパレータの出力が正となった時に前記端末による通信内容の送信が無効化されるよう、第二入力がインバータ（２２）を介して前記コンパレータ（１４）の出力部に接続されていることを特徴とする、請求項１に記載の装置。
【請求項３】
前記コンパレータ（１４）の出力により、前記端末の所有者宛のアラームメッセージの表示が実行されることを特徴とする、請求項２に記載の装置。
【請求項４】
前記コンパレータ（１４）の出力により、ポータブル端末が不正に使用される旨を端末管理ステーションに知らせるための、前記端末管理ステーションへの前記端末の送信回路（１８）によるアラームメッセージ送信が実行されることを特徴とする、請求項１から３のいずれか一項に記載の装置。
【請求項５】
比較の一致に応じて前記端末の通信内容の送信回路（１８）の無効化が行われる前に、前記端末が前記アラームメッセージを送信することが可能になるよう、前記コンパレータ（１４）の出力部と前記無効化回路（２２、２４）の入力部との間に接続された遅延回路（２８）をさらに含むことを特徴とする、請求項４に記載の装置。
【請求項６】
前記無効化回路（２２、２４）によって、前記コンパレータ（１４）の比較の一致に応じて前記端末の電源が切られることを特徴とする、請求項１から５のいずれか一項に記載の装置。
【請求項７】
ＧＳＭ型無線電話システムにおいて使用されることを特徴とする、請求項１から６のいずれか一項に記載の装置。
【請求項８】
ポータブル端末内で実行される、
−不正に使用されている端末の一覧表を含むメッセージの受信を検出する段階と、
−前記一覧表の識別番号を前記端末の識別番号と比較する段階と、
−比較が一致した際に、前記端末による情報の送信を無効化する段階と
を含むことを特徴とする、移動無線電話型ネットワークで使用するポータブル端末の自動無効化方法。
【請求項９】
比較が一致した際に、前記端末の画面上にメッセージを表示する段階を更に含むことを特徴とする、請求項８に記載の方法。
【請求項１０】
比較が一致した際に、ネットワーク管理ステーションにアラームメッセージを送信する段階を更に含むことを特徴とする、請求項８または９に記載の方法。
【発明の詳細な説明】
【０００１】
【産業上の分野】
本発明は移動無線電話装置に関し、より詳細には、ポータブル端末が盗難された場合あるいは不正に使用された場合、同端末の自動無効化を可能にする装置に関する。
【０００２】
【従来の技術】
ＧＳＭ型移動無線電話装置においては、各ユーザは、他の電話使用者と電話通信を開始することができるポータブル端末または無線電話を所有する。各端末は、ネットワーク管理ステーションが把握する“移動機器識別番号”（ＩＭＥＩ）によって識別される。
【０００３】
ネットワークの各ユーザは、加盟時にユーザに供給される“加盟者識別モジュール”（ＳＩＭ）を所有する。ユーザは自身のカードを端末に挿入した後のみ端末を使用することができる。しかしながらＳＩＭカードは使用端末とは無関係であり、異なる端末上で使用することができる。
【０００４】
したがって、盗難された端末の場合、窃盗犯または盗難された端末を入手した者が加盟登録を行いＳＩＭカードを入手し、その結果ネットワークにアクセスすることが可能となる。そのような理由から、管理ステーションは盗難された端末の一覧表を含むデータベースの更新を行っている。その場合の手続きは、盗難端末によるネットワークの使用を禁止するため端末との交信樹立時に同端末の識別番号ＩＭＥＩを問い合わせ、同識別番号がデータベース中にあることを確認し、次に、同端末が盗まれたことが判明した場合一切の同端末との交信を禁止するものである。このような手続きは、盗まれる端末が極めて少ないにもかかわらず、各端末の交信路を使用してチェックが行われる限りにおいては、時間および資源において費用がかかる。
【０００５】
【発明が解決しようとする課題】
したがって本発明の主目的は、簡単かつ効果的で、端末に割り当てられた資源を大量に消費することのない、ポータブル端末の自動無効化装置を提供することである。
【０００６】
本発明の他の目的は、全ての端末に必ず送信される短メッセージ情報に含まれる情報に対応した、ポータブル端末の自動無効化装置を提供することである。
【０００７】
【課題を解決するための手段】
したがって本発明は、ネットワーク管理ステーションより送信されたサービスメッセージと、不正に使用される端末の識別番号一覧表を含む受信メッセージの１つとを一時的に格納するためのバッファメモリと、受信された一覧表の前記識別番号を端末の識別番号と比較するためのコンパレータと、コンパレータの比較が一致した時に対応する、ポータブル端末による通信内容の送信の無効化回路とを含む、移動無線電話型ポータブル端末の自動無効化装置を対象とする。
【０００８】
本発明の目的、対象、特徴は、添付の図面を参照しながら以下の詳細な説明を読むことにより、よりよく理解されるだろう。
【０００９】
【実施例】
図１に例示するように、本発明による装置は、受信アンテナ１２を用いて受信された短メッセージを一時的に格納するバッファメモリ１０を含む。ＧＳＭ装置においては一般的にＳＭＳと呼ばれているこの短メッセージは、一定区域内の全ての端末に対し一定間隔（例えば３０秒毎）で送信されるメッセージであることに留意する必要がある。
【００１０】
盗難端末の識別番号一覧表（ＩＭＥＩ）は通常即座に受信されるが（このことは本発明には無関係であるが）、かかる受信後、コンパレータ１４によって、バッファメモリ１０によって受信された一覧表の番号と、レジスタ１６内にある端末識別番号との比較が行われる。
【００１１】
比較が正であることが判明した場合、すなわち当該端末が盗まれた端末である場合、信号が送信回路１８のコンパレータ１４の出力部に送信され、送信回路は送信アンテナ２０により、当該端末が盗まれた端末である旨を管理ステーションにフィードバックする。
【００１２】
情報が管理ステーションに送信されるのと同時に、通常、ビット１に相当するＨｉｇｈ信号の形態のコンパレータ１４の出力信号が、インバータ２２とＡＮＤゲート２４とから成る端末の無効化回路に送信される。
【００１３】
当該端末が盗まれた端末ではない場合には、コンパレータ１４の出力はＬｏｗのままで、インバータ２２にもたらされる信号はビット０と等価であり、その結果インバータの出力はＨｉｇｈ（ビット１に相当）となり、ゲート２４は線２６にもたらされる送信回路駆動信号を通過させる。
【００１４】
反対に、端末が盗まれたものであることが判明した場合には、コンパレータ１４の出力は正となり、インバータ２２の出力はＬｏｗ、すなわちＡＮＤゲートを閉じ線２６による送信回路１８の駆動を一切阻止するビット０となる。
【００１５】
また、コンパレータ１４の出力部とインバータ２２との間には遅延回路２８が内部接続されていることにも留意する必要がある。実際、正比較後、端末か少なくともその送信回路の無効化を時間ｔだけ遅延させ、前記送信回路が管理ステーションへの情報の送信時間を確保できるようにすることは有益である。
【００１６】
また、窃盗犯ではなく単なる隠匿者に対し、当該端末は盗まれたものであり近いうちに無効化される旨を警告することも有益である。そのような理由から、通常、端末が具備する画面にメッセージを表示する目的のため、図１に例示するように、コンパレータの出力を表示回路に送信することができる。
【００１７】
線２６は単に電池からの端末電源供給線とすることも可能であり、その場合、正比較時には端末の作動は全面的に切れる。
【００１８】
図２は、本発明による無効化装置によって行われる処理のフローチャートである。
【００１９】
ブロック３０では、盗まれた端末の識別番号一覧表ＩＭＥＩが受信されたかどうかが判断される。受信されていない場合には、最初より再度処理が行われる。受信されている場合には、ブロック３２で当該端末の識別番号が一覧表にあるかどうかが判断される。ない場合には、最初より再度処理が行われる。ある場合には２種類の処理が行われる。ブロック３４では、当該端末が盗まれた端末であることを示す情報が管理ステーションに送信される。二番目の種類の情報は、端末の画面上への、当該端末が盗まれた端末であることを所有者に知らせるメッセージの表示（ブロック３６）および端末の無効化（ブロック３８）に関する。
【００２０】
図２に例示するフローは、発明の範囲を逸脱しないで種々の方法で実現が可能であることと、図１を参照しながら説明を行った無効化回路の実施例は、種々の別の実施例の内の可能な一例であることは明確である。
【図面の簡単な説明】
【図１】本発明の自動無効化装置の実施例のブロック図である。
【図２】本発明の装置のポータブル端末によって行われる自動無効化動作のフローチャートである。
【符号の説明】
１０  バッファメモリ
１４  コンパレータ
１６  レジスタ
１８  送信回路
２２  インバータ
２４  ＡＮＤゲート
【図１】
0003754102.tif 000002
【図２】
0003754102.tif 000003